(57)【要約】【課題】電線を簡単に接続することができ、作業性に優れた電線接続用具を提供する。【解決手段】下記手順で電線を接続する電線接続用具１０とする。（１）両スライドリング４４をスリーブ１２の中央側にスライドさせた状態で、スリーブ内に両端開口から電線５０の導体５０ａを挿入することにより、スリーブの第２板部３４、第３板部３６の中央側端部３４ａ、３６ａと筒体１４の内壁との間に導体を挟持する。（２）両スライドリングをスリーブの開口側にスライドさせ、両スライドリングの小径部４４ｂの内壁でスリーブの第１板部３２、第４板部３８の突出部分３２ｃ、３８ｃを押圧することにより、折曲部３２ｂ、３８ｂとスリーブの内壁との間に導体を挟持する。（３）ストッパー４６を、両スライドリングの小径部に装着する。【選択図】図６
2011071043.tif 000002
【特許請求の範囲】
【請求項１】
筒体の一端開口から他端開口にかけて、長さが等しく互いに平行な２本のスリットからなる第１スリット対、第２スリット対、第３スリット対および第４スリット対が軸方向に沿って所定間隔離間して形成され、かつ、前記第２スリット対および第３スリット対の２本のスリットの中央側端部間にそれぞれスリットが形成されていることにより、前記第１〜第４スリット対の２本のスリット間に、順次、開口側端部が自由端とされた第１板部、中央側端部が自由端とされた第２板部、中央側端部が自由端とされた第３板部および開口側端部が自由端とされた第４板部が設けられ、両端開口から筒体内に電線の導体が挿入される導電性スリーブであって、前記第１板部および第４板部は、開口側端部側に内方に折り曲げられた折曲部を有するとともに、前記折曲部の折曲箇所は筒体の外方に突出し、前記第２板部および第３板部は、中央側端部が筒体の内方に突出して、前記中央側端部と筒体の内壁との間に電線の導体を挟持できるようになっている導電性スリーブと、
筒状の大径部と前記大径部より外径および内径が小さい筒状の小径部とが連設され、大径部を筒体の開口側に配置した状態で前記導電性スリーブの外周面を覆い、導電性スリーブの軸方向にスライド可能な２個の絶縁スライドリングであって、両絶縁スライドリングをそれぞれ導電性スリーブの中央側にスライドさせたときには、前記大径部の内壁が第１板部および第４板部の突出部分を押圧せず、２個の絶縁スライドリングをそれぞれ導電性スリーブの開口側にスライドさせたときには、前記小径部の内壁が第１板部および第４板部の突出部分を押圧する２個の絶縁スライドリングと、
前記２個の絶縁スライドリングをそれぞれ導電性スリーブの開口側にスライドさせたときに、両絶縁スライドリングの小径部に装着される絶縁ストッパーとを具備し、
前記両絶縁スライドリングをそれぞれ前記導電性スリーブの中央側にスライドさせた状態で、前記導電性スリーブ内にその両端開口から電線の導体を挿入して、前記第２板部および第３板部の中央側端部と筒体の内壁との間に前記導体を挟持し、次いで前記両絶縁スライドリングをそれぞれ前記導電性スリーブの開口側にスライドさせ、前記両絶縁スライドリングの小径部の内壁で前記第１板部および第４板部の突出部分を押圧して前記折曲部を内方に押し込み、前記折曲部とスリーブの内壁との間に導体を挟持した後、前記絶縁ストッパーを、前記両絶縁スライドリングの大径部間において、前記両絶縁スライドリングの小径部に装着することを特徴とする電線接続用具。
【請求項２】
筒体の一端開口近傍から他端開口近傍にかけて、長さが等しく互いに平行な２本のスリットからなる第１スリット対、第２スリット対、第３スリット対および第４スリット対が軸方向に沿って所定間隔離間して形成され、かつ、前記第１スリット対および第４スリット対の２本のスリットの開口側端部間ならびに前記第２スリット対および第３スリット対の２本のスリットの中央側端部間にそれぞれスリットが形成されていることにより、前記第１〜第４スリット対の２本のスリット間に、順次、開口側端部が自由端とされた第１板部、中央側端部が自由端とされた第２板部、中央側端部が自由端とされた第３板部および開口側端部が自由端とされた第４板部が設けられ、両端開口から筒体内に電線の導体が挿入される導電性スリーブであって、前記第１板部および第４板部は、開口側端部側に内方に折り曲げられた折曲部を有するとともに、前記折曲部の折曲箇所は筒体の外方に突出し、前記第２板部および第３板部は、中央側端部が筒体の内方に突出して、前記中央側端部と筒体の内壁との間に電線の導体を挟持できるようになっている導電性スリーブと、
筒状の大径部と前記大径部より外径および内径が小さい筒状の小径部とが連設され、大径部を筒体の開口側に配置した状態で前記導電性スリーブの外周面を覆い、導電性スリーブの軸方向にスライド可能な２個の絶縁スライドリングであって、両絶縁スライドリングをそれぞれ導電性スリーブの中央側にスライドさせたときには、前記大径部の内壁が第１板部および第４板部の突出部分を押圧せず、２個の絶縁スライドリングをそれぞれ導電性スリーブの開口側にスライドさせたときには、前記小径部の内壁が第１板部および第４板部の突出部分を押圧する２個の絶縁スライドリングと、
前記２個の絶縁スライドリングをそれぞれ導電性スリーブの開口側にスライドさせたときに、両絶縁スライドリングの小径部に装着される絶縁ストッパーとを具備し、
前記両絶縁スライドリングをそれぞれ前記導電性スリーブの中央側にスライドさせた状態で、前記導電性スリーブ内にその両端開口から電線の導体を挿入して、前記第２板部および第３板部の中央側端部と筒体の内壁との間に前記導体を挟持し、次いで前記両絶縁スライドリングをそれぞれ前記導電性スリーブの開口側にスライドさせ、前記両絶縁スライドリングの小径部の内壁で前記第１板部および第４板部の突出部分を押圧して前記折曲部を内方に押し込み、前記折曲部とスリーブの内壁との間に導体を挟持した後、前記絶縁ストッパーを、前記両絶縁スライドリングの大径部間において、前記両絶縁スライドリングの小径部に装着することを特徴とする電線接続用具。
【請求項３】
前記導電性スリーブは、前記第２スリット対および第３スリット対の２本のスリットの中央側端部間にそれぞれ形成されたスリット間に、筒体の軸方向中央部に位置する中央板部が設けられ、前記中央板部の中央部に導体のストッパーとしての機能を有する凹部が設けられていることを特徴とする請求項１または２に記載の電線接続用具。
【発明の詳細な説明】
【技術分野】
【０００１】
本発明は、電線を接続するための電線接続用具に関する。
【背景技術】
【０００２】
従来、電線を接続するための電線接続用具として、略円筒状の金属製圧着スリーブが使用されている（例えば、非特許文献１参照）。この圧着スリーブを用いて電線を接続する場合、電線の導体をスリーブ内に挿入し、次いで専用の圧着工具を用いてスリーブを変形させることにより、導体とスリーブとを圧着させた後、スリーブに絶縁テープを巻き付けることなどにより、スリーブの絶縁を行うものである。
【先行技術文献】
【非特許文献】
【０００３】
【非特許文献１】http://www.asahi-net.or.jp/~yl1h-nkmr/parts/atyaku.html
【発明の概要】
【発明が解決しようとする課題】
【０００４】
しかし、前述した圧着スリーブは、圧着工具によりスリーブを変形させてスリーブに導体を固定した後、スリーブに絶縁テープを巻き付けることなどによりスリーブの絶縁を行うものであるため、電線の接続作業が面倒で、作業性が悪いものであった。
【０００５】
本発明は、上述した事情に鑑みてなされたもので、電線を簡単に接続することができ、作業性に優れた電線接続用具を提供することを目的とする。
【課題を解決するための手段】
【０００６】
本発明は、前記目的を達成するため、
筒体の一端開口から他端開口にかけて、長さが等しく互いに平行な２本のスリットからなる第１スリット対、第２スリット対、第３スリット対および第４スリット対が軸方向に沿って所定間隔離間して形成され、かつ、前記第２スリット対および第３スリット対の２本のスリットの中央側端部間にそれぞれスリットが形成されていることにより、前記第１〜第４スリット対の２本のスリット間に、順次、開口側端部が自由端とされた第１板部、中央側端部が自由端とされた第２板部、中央側端部が自由端とされた第３板部および開口側端部が自由端とされた第４板部が設けられ、両端開口から筒体内に電線の導体が挿入される導電性スリーブであって、前記第１板部および第４板部は、開口側端部側に内方に折り曲げられた折曲部を有するとともに、前記折曲部の折曲箇所は筒体の外方に突出し、前記第２板部および第３板部は、中央側端部が筒体の内方に突出して、前記中央側端部と筒体の内壁との間に電線の導体を挟持できるようになっている導電性スリーブと、
筒状の大径部と前記大径部より外径および内径が小さい筒状の小径部とが連設され、大径部を筒体の開口側に配置した状態で前記導電性スリーブの外周面を覆い、導電性スリーブの軸方向にスライド可能な２個の絶縁スライドリングであって、両絶縁スライドリングをそれぞれ導電性スリーブの中央側にスライドさせたときには、前記大径部の内壁が第１板部および第４板部の突出部分を押圧せず、２個の絶縁スライドリングをそれぞれ導電性スリーブの開口側にスライドさせたときには、前記小径部の内壁が第１板部および第４板部の突出部分を押圧する２個の絶縁スライドリングと、
前記２個の絶縁スライドリングをそれぞれ導電性スリーブの開口側にスライドさせたときに、両絶縁スライドリングの小径部に装着される絶縁ストッパーとを具備し、
前記両絶縁スライドリングをそれぞれ前記導電性スリーブの中央側にスライドさせた状態で、前記導電性スリーブ内にその両端開口から電線の導体を挿入して、前記第２板部および第３板部の中央側端部と筒体の内壁との間に前記導体を挟持し、次いで前記両絶縁スライドリングをそれぞれ前記導電性スリーブの開口側にスライドさせ、前記両絶縁スライドリングの小径部の内壁で前記第１板部および第４板部の突出部分を押圧して前記折曲部を内方に押し込み、前記折曲部とスリーブの内壁との間に導体を挟持した後、前記絶縁ストッパーを、前記両絶縁スライドリングの大径部間において、前記両絶縁スライドリングの小径部に装着することを特徴とする電線接続用具を提供する。
【０００７】
また、本発明は、筒体の一端開口近傍から他端開口近傍にかけて、長さが等しく互いに平行な２本のスリットからなる第１スリット対、第２スリット対、第３スリット対および第４スリット対が軸方向に沿って所定間隔離間して形成され、かつ、前記第１スリット対および第４スリット対の２本のスリットの開口側端部間ならびに前記第２スリット対および第３スリット対の２本のスリットの中央側端部間にそれぞれスリットが形成されていることにより、前記第１〜第４スリット対の２本のスリット間に、順次、開口側端部が自由端とされた第１板部、中央側端部が自由端とされた第２板部、中央側端部が自由端とされた第３板部および開口側端部が自由端とされた第４板部が設けられ、両端開口から筒体内に電線の導体が挿入される導電性スリーブであって、前記第１板部および第４板部は、開口側端部側に内方に折り曲げられた折曲部を有するとともに、前記折曲部の折曲箇所は筒体の外方に突出し、前記第２板部および第３板部は、中央側端部が筒体の内方に突出して、前記中央側端部と筒体の内壁との間に電線の導体を挟持できるようになっている導電性スリーブと、
筒状の大径部と前記大径部より外径および内径が小さい筒状の小径部とが連設され、大径部を筒体の開口側に配置した状態で前記導電性スリーブの外周面を覆い、導電性スリーブの軸方向にスライド可能な２個の絶縁スライドリングであって、両絶縁スライドリングをそれぞれ導電性スリーブの中央側にスライドさせたときには、前記大径部の内壁が第１板部および第４板部の突出部分を押圧せず、２個の絶縁スライドリングをそれぞれ導電性スリーブの開口側にスライドさせたときには、前記小径部の内壁が第１板部および第４板部の突出部分を押圧する２個の絶縁スライドリングと、
前記２個の絶縁スライドリングをそれぞれ導電性スリーブの開口側にスライドさせたときに、両絶縁スライドリングの小径部に装着される絶縁ストッパーとを具備し、
前記両絶縁スライドリングをそれぞれ前記導電性スリーブの中央側にスライドさせた状態で、前記導電性スリーブ内にその両端開口から電線の導体を挿入して、前記第２板部および第３板部の中央側端部と筒体の内壁との間に前記導体を挟持し、次いで前記両絶縁スライドリングをそれぞれ前記導電性スリーブの開口側にスライドさせ、前記両絶縁スライドリングの小径部の内壁で前記第１板部および第４板部の突出部分を押圧して前記折曲部を内方に押し込み、前記折曲部とスリーブの内壁との間に導体を挟持した後、前記絶縁ストッパーを、前記両絶縁スライドリングの大径部間において、前記両絶縁スライドリングの小径部に装着することを特徴とする電線接続用具を提供する。
【０００８】
本発明の電線接続用具は、上述した構成としたことにより、スリーブ内に電線の導体を挿入し、次いで両スライドリングをスリーブの開口側にスライドさせることにより、電線の導体をスリーブに接続した後、ストッパーをスライドリングの小径部に装着するだけで、電線を簡単に接続することができ、そのため作業性に優れている。
【０００９】
本発明では、前記導電性スリーブは、前記第２スリット対および第３スリット対の２本のスリットの中央側端部間にそれぞれ形成されたスリット間に、筒体の軸方向中央部に位置する中央板部が設けられ、前記中央板部の中央部に導体のストッパーとしての機能を有する凹部が設けられている構成とすることができる。
【発明の効果】
【００１０】
本発明の電線接続用具は、電線を簡単に接続することができ、作業性に優れている。
【図面の簡単な説明】
【００１１】
【図１】本発明の一実施形態に係る電線接続用具を示すもので、上記電線接続用具に電線を仮止めする前の状態を示す斜視図である。
【図２】図１の電線接続用具に電線を仮止めした状態を示す斜視図である。
【図３】図１の電線接続用具の絶縁スライドリングに絶縁ストッパーを取り付ける前の状態を示す斜視図である。
【図４】図１の電線接続用具の絶縁スライドリングに絶縁ストッパーを取り付けて電線の接続が完了した状態を示す斜視図である。
【図５】図１の電線接続用具の導電性スリーブを示すもので、（ａ）は平面図、（ｂ）は正面断面図、（ｃ）は左側面図である。
【図６】図１の電線接続用具を用いた電線の接続手順を示す説明図であり、（ａ）は電線を仮止めした状態を示す図、（ｂ）は電線の接続が完了した状態を示す図である。
【発明を実施するための形態】
【００１２】
以下、本発明の実施の形態を図面を参照して説明するが、本発明は下記例に限定されるものではない。図１〜図４は、本発明に係る電線接続用具の一実施形態を示すもので、図１は電線を仮止めする前の状態を示す斜視図（絶縁ストッパーを除く）、図２は電線を仮止めした後の状態を示す斜視図（絶縁ストッパーを除く）、図３は絶縁スライドリングに絶縁ストッパーを取り付ける前の状態を示す斜視図、図４は絶縁スライドリングに絶縁ストッパーを取り付けて電線の接続が完了した状態を示す斜視図である。また、図５は、図１の電線接続用具の導電性スリーブを示すもので、（ａ）は平面図、（ｂ）は正面断面図、（ｃ）は左側面図である。
【００１３】
本例の電線接続用具１０において、１２は両端開口から内部に電線の導体が挿入される導電性スリーブである。スリーブ１２は、銅、銅合金、鉄、鉄合金、アルミニウム、アルミニウム合金、ステンレス鋼等の金属や、導電性樹脂などの導電性物質（本例では、具体的にはコルソン合金（Ｃ７０２５）を使用。）により形成されている。
【００１４】
本例のスリーブ１２は、図５に示すように、略円筒状の筒体１４の一端開口１６から他端開口１８にかけて、長さが等しく互いに平行な２本のスリット２０ａ、２０ｂからなる第１スリット対２０、同様の２本のスリット２２ａ、２２ｂからなる第２スリット対２２、同様の２本のスリット２４ａ、２４ｂからなる第３スリット対２４、および、同様の２本のスリット２６ａ、２６ｂからなる第４スリット対２６が、軸方向に沿って所定間隔離間して形成されている。また、第２スリット対２２の２本のスリット２２ａ、２２ｂの中央側端部間、および、第３スリット対２４の２本のスリット２４ａ、２４ｂの中央側端部間には、それぞれスリット２８、３０が形成されている。
【００１５】
そして、第１〜第４スリット対２０、２２、２４、２６の２本のスリット間に、順次、開口側端部３２ａが自由端とされた第１板部３２、中央側端部３４ａが自由端とされた第２板部３４、中央側端部３６ａが自由端とされた第３板部３６、および、開口側端部３８ａが自由端とされた第４板部３８が設けられている。また、スリット２８、３０の間には、筒体１４の軸方向中央部に位置する中央板部４０が設けられている。
【００１６】
第１板部３２、第４板部３８は、開口側端部側に内方に折り曲げられた折曲部３２ｂ、３８ｂを有するとともに、これら折曲部３２ｂ、３８ｂの折曲箇所３２ｃ、３８ｃは筒体１４の外方に突出している。第２板部３４、第３板部３６は、中央側端部３４ａ、３６ａが筒体１４の内方に突出して、上記中央側端部３４ａ、３６ａと筒体１４の内壁との間に電線の導体を挟持できるようになっている。また、中央板部４０の中央部には、略逆円錐形状の凹部４２が設けられ、筒体１４内に電線の導体を挿入したときに、導体の先端が凹部４２の底面に当たって止まるようになっている。すなわち、凹部４２は、電線の導体のストッパーとしての機能を有する。
【００１７】
本例の電線接続用具１０において、４４はスリーブ１２の外周面を覆う２個の絶縁スライドリングである。スライドリング４４は、絶縁性樹脂などの絶縁性物質（本例では、具体的にはポリカーボネート樹脂を使用。）により形成されている。
【００１８】
本例のスライドリング４４は、円筒状の大径部４４ａと、大径部４４ａよりも外径および内径が小さい円筒状の小径部４４ｂとが連設されたもので、大径部４４ａを筒体１４の開口側、小径部４４ｂを筒体１４の中央側に配置した状態で、スリーブ１２の外周面を覆っている。
【００１９】
スライドリング４４は、スリーブ１２の軸方向にスライド可能であって、両スライドリング４４をそれぞれスリーブ１２の中央側にスライドさせたときには、図６（ａ）に示すように、大径部４４ａの内壁が第１板部３２、第４板部３８の突出部分３２ｃ、３８ｃを押圧せず、両スライドリング４４をそれぞれスリーブ１２の開口側にスライドさせたときには、図６（ｂ）に示すように、小径部４４ｂの内壁が第１板部３２、第４板部３８の突出部分３２ｃ、３８ｃを押圧するようになっている。より具体的には、小径部４４ｂの内径は、スリーブ１２の筒体１４の内径とほぼ等しく、大径部４４ａの内径は、スリーブ１２の筒体１４の内径と、第１板部３２、第４板部３８の径方向突出長さの２倍との和にほぼ等しい。
【００２０】
本例の電線接続用具１０において、４６は絶縁ストッパーである。ストッパー４６は、絶縁性樹脂などの絶縁性物質（本例では、具体的にはＰＯＭ（ポリオキシメチレン）樹脂を使用。）により形成された断面円弧状のもので、その断面円弧長は、半円の円弧長よりも若干大きく形成されている。
【００２１】
ストッパー４６は可撓性を有し、２個のスライドリング４４をそれぞれスリーブ１２の開口側にスライドさせたときに、両スライドリング４４の大径部４４ａ間において、両スライドリング４４の小径部４４ｂに装着されるもので、これにより両スライドリング４４がスリーブ１２の中央側にスライドすることが防止される。この場合、ストッパー４６の外周面の開口部４６ａからストッパー４６内にスライドリング４４の小径部４４ｂを押し込むと、上記開口部４６ａの幅が広がってストッパー４６内に小径部４４ｂが入り、その後上記開口部４６ａの幅が元の状態に復帰することにより、ストッパー４６内に小径部４４ｂが収納されるようになっている。
【００２２】
本例の電線接続用具１０を用いた電線の接続は、下記（１）〜（３）の手順で行う。なお、電線の種類に特に限定はない。
（１）図６（ａ）に示すように、両スライドリング４４をそれぞれスリーブ１２の中央側にスライドさせた状態で、スリーブ１２内にその両端開口から被覆を取り除いた電線５０の導体５０ａを挿入する。これにより、スリーブ１２の第２板部３４、第３板部３６の中央側端部３４ａ、３６ａと筒体１４の内壁との間に導体５０ａが挟持され、電線接続用具１０に電線５０が仮止めされる（図１、図２参照）。なお、導体５０ａの先端は凹部４２の底面に当たり、それ以上は進まない。
（２）図６（ｂ）に示すように、両スライドリング４４をそれぞれスリーブ１２の開口側にスライドさせ、両スライドリング４４の小径部４４ｂの内壁で第１板部３２、第４板部３８の突出部分３２ｃ、３８ｃを押圧して、折曲部３２ｂ、３８ｂを内方に押し込み、折曲部３２ｂ、３８ｂとスリーブ１２の内壁との間に導体５０ａを挟持する（図３参照）。なお、両スライドリング４４の小径部４４ｂは電線５０の絶縁体５０ｂに当たり、それ以上は進まない。
（３）図６（ｂ）に示すように、ストッパー４６を、両スライドリング４４の大径部４４ａ間において、両スライドリング４４の小径部４４ｂに装着する（図４参照）。これにより、両スライドリング４４がスリーブ１２の中央側にスライドして、導体５０ａがスリーブ１２から外れることが防止されるとともに、スリーブ１２、導体５０ａが電気的に絶縁される。
【００２３】
以上のように、本実施形態の電線接続用具は、スリーブ内に電線の導体を挿入し、次いで両スライドリングをスリーブの開口側にスライドさせた後、ストッパーをスライドリングの小径部に装着するだけで、電線を簡単に接続することができるため、作業性に優れている。
【００２４】
なお、本発明の電線接続用具は、上記実施形態に限定されるものではなく、導電性スリーブ、絶縁スライドリング、絶縁リングストッパーの材質、形状、構造等は適宜設定することが可能である。例えば、上記実施形態では、導電性スリーブの第１、第４スリット対の両スリットを筒体の開口まで延ばしたが、両スリットを筒体の開口近傍まで形成し、両スリットの開口側端部間にスリットを形成することにより、第１、第４板部を設けてもよい。
【符号の説明】
【００２５】
１０  電線接続用具
１２  導電性スリーブ
１４  筒体
１６  一端開口
１８  他端開口
２０  第１スリット対
２０ａ、２０ｂ  スリット
２２  第２スリット対
２２ａ、２２ｂ  スリット
２４  第３スリット対
２４ａ、２４ｂ  スリット
２６  第４スリット対
２６ａ、２６ｂ  スリット
２８、３０  スリット
３２  第１板部
３２ａ  開口側端部
３４  第２板部
３４ａ  中央側端部
３６  第３板部
３６ａ  中央側端部
３８  第４板部
３８ａ  開口側端部
４０  中央板部
４２  凹部
４４  絶縁スライドリング
４４ａ  大径部
４４ｂ  小径部
４６  絶縁ストッパー
５０  電線
５０ａ  導体
５０ｂ  絶縁体
【図１】
2011071043.tif 000003
【図２】
2011071043.tif 000004
【図３】
2011071043.tif 000005
【図４】
2011071043.tif 000006
【図５】
2011071043.tif 000007
【図６】
2011071043.tif 000008